(57)【要約】【課題】マルチキャストブロードキャストサービス情報処理方法を提供する。【解決手段】該方法は、制御局が端末に、隣接マルチキャストブロードキャストサービスゾーンマーク、隣接マルチキャストブロードキャストサービスゾーンが位置するキャリア情報、マルチキャストブロードキャストサービス連続性指示情報の内、少なくとも１つを含む前記制御局の隣接制御局のマルチキャストブロードキャストサービス情報を送信するステップを含む。マルチキャストブロードキャストサービス端末がマルチキャストブロードキャストゾーン間でマルチキャストブロードキャストサービスを連続して受信することができ、マルチキャストブロードキャストサービスのサービス性能を向上できる。【選択図】図１
2013516810.tif 000002
【特許請求の範囲】
【請求項１】
制御局が端末に、隣接マルチキャストブロードキャストサービスゾーンマーク、隣接マルチキャストブロードキャストサービスゾーンが位置するキャリア情報、マルチキャストブロードキャストサービス連続性指示情報の内、少なくとも１つを含む前記制御局の隣接制御局のマルチキャストブロードキャストサービス情報を送信するステップを含むことを特徴とするマルチキャストブロードキャストサービス情報処理方法。
【請求項２】
前記隣接マルチキャストブロードキャストサービスゾーンが位置するキャリア情報が、前記隣接マルチキャストブロードキャストサービスゾーンにおけるマルチキャストブロードキャストサービスを載せたキャリアのキャリア情報であることを特徴とする請求項１に記載の方法。
【請求項３】
前記マルチキャストブロードキャストサービス連続性指示は、前記隣接セルの制御局が、端末の前記制御局において受信したマルチキャストブロードキャストサービスと同一のサービスを提供するか否かを示すことを特徴とする請求項１に記載の方法。
【請求項４】
前記制御局が、マルチキャストブロードキャストサービスゾーン配置メッセージ、隣接セルブロードキャストメッセージ、マルチキャストブロードキャストサービスリソースマッピング指示メッセージ、隣接マルチキャストブロードキャストサービスゾーン情報指示メッセージの内の少なくとも１つによって、前記端末に前記隣接制御局のマルチキャストブロードキャストサービス情報を送信することを特徴とする請求項１に記載の方法。
【請求項５】
前記制御局が、前記隣接制御局のキャリアリスト情報及び／又は対応するキャリア上の隣接マルチキャストブロードキャストゾーンマークを含む隣接制御局マーク情報リストを携帯したメッセージによって、前記端末に、前記隣接マルチキャストブロードキャストサービスゾーンマークを送信し、
前記隣接セルブロードキャストメッセージが、前記隣接マルチキャストブロードキャストゾーン上のマルチキャストブロードキャストサービス連続性指示情報、制御局が所属されるマルチキャストブロードキャストサービスゾーンマーク、マルチキャストブロードキャストサービスマーク連続性指示情報、マルチキャストブロードキャストサービスマークマッピング情報の内の少なくとも１つを携帯することを特徴とする請求項１乃至４のいずれか１項に記載の方法。
【請求項６】
前記制御局が、前記制御局が所属されるマルチキャストブロードキャストサービスゾーンマーク情報リストを携帯したメッセージによって、前記端末に、前記制御局が所属されるマルチキャストブロードキャストサービスゾーンマーク、前記制御局の隣接制御局が所属される隣接マルチキャストブロードキャストサービスゾーンのマルチキャストブロードキャストサービス連続性指示、前記制御局の隣接制御局が所属される隣接マルチキャストブロードキャストゾーンマーク、前記隣接マルチキャストブロードキャストゾーン上のマルチキャストブロードキャストサービスを載せたキャリア情報、マルチキャストブロードキャストサービスマーク連続性指示情報、マルチキャストブロードキャストサービスマークマッピング情報の内少なくとも１つを含む前記隣接マルチキャストブロードキャストサービスゾーン情報を送信することを特徴とする請求項１乃至４のいずれか１項に記載の方法。
【請求項７】
前記制御局が前記端末に、少なくとも前記制御局が所属されるマルチキャストブロードキャストサービスゾーンのサービス連続性のある隣接マルチキャストブロードキャストゾーンマーク、前記隣接マルチキャストブロードキャストゾーンを載せたキャリア情報、マルチキャストブロードキャストサービスマーク連続性指示、マルチキャストブロードキャストサービスマークマッピング情報の中の１つを含む前記隣接マルチキャストブロードキャストサービスゾーン情報を携帯したメッセージを送信することを特徴とする請求項１乃至４の中のいずれか１項に記載の方法。
【請求項８】
前記マルチキャストブロードキャストサービス情報が、前記隣接マルチキャストブロードキャストサービスゾーンのマルチキャストブロードキャストサービス情報の、マルチキャストブロードキャストサービス情報を携帯したメッセージの少なくともスーパーフレーム、フレーム、サブフレームの中の１つを含む予定フレームを指向する情報を含む送信位置情報を更に含み、
前記予定フレームがスーパーフレームである場合、予定フレームの情報が、前記メッセージの送信周期情報とスーパーフレームオフセット情報の中の少なくとも１つを含み、前記予定フレームがフレーム及び／又はサブフレームである場合、前記予定フレームの情報が予定のフレームオフセット情報を含むことを特徴とする請求項１乃至４のいずれか１項に記載の方法。
【請求項９】
前記制御局が所属されるマルチキャストブロードキャストサービスゾーンと前記隣接マルチキャストブロードキャストゾーンにおけるサービスコンテンツの一部又は全部が同一である場合、前記マルチキャストブロードキャストサービス情報が、前記マルチキャストブロードキャストサービス連続性指示情報を含むことを特徴とする請求項１に記載の方法。
【請求項１０】
前記制御局が所属されるマルチキャストブロードキャストサービスゾーンと前記隣接マルチキャストブロードキャストゾーンにおけるサービスコンテンツの一部又は全部が同一である場合、前記マルチキャストブロードキャストサービス情報が、前記コンテンツが同一のマルチキャストブロードキャストサービスの、前記制御局が所属されるマルチキャストブロードキャストサービスゾーンと前記隣接マルチキャストブロードキャストゾーンにおけるサービスマークが同一であるか否かを指示するマルチキャストブロードキャストサービスマーク連続性指示情報及び／又はマルチキャストブロードキャストサービスマークマッピング情報を更に含むことを特徴とする請求項１に記載の方法。
【請求項１１】
前記制御局がブロードキャスト又はマルチキャストの方式で前記端末に前記隣接マルチキャストブロードキャストゾーンサービス情報を送信する場合、アイドルモードの端末が前記ブロードキャスト又はマルチキャストのメッセージを受信し復号する必要があることを特徴とする請求項１に記載の方法。
【請求項１２】
前記端末が前記制御局に、マルチキャストブロードキャストサービス情報の更新情報を取得するための要求メッセージを送信し、サービング制御局がユニキャストによって、前記端末が要求した、マルチキャストブロードキャストサービスゾーンマーク、マルチキャストブロードキャストサービスサービス連続性指示情報、マルチキャストブロードキャストサービスが位置するゾーンのキャリア情報、マルチキャストブロードキャストサービスゾーンサービスマーク連続性指示情報、マルチキャストブロードキャストサービスゾーンにおけるマルチキャストブロードキャストサービスのマークマッピング情報の中の少なくとも１つを含むマルチキャストブロードキャストサービスが所属されるマルチキャストブロードキャストゾーンの更新情報及び／又はマルチキャストブロードキャストサービスの更新情報を携帯した要求メッセージに応答する応答メッセージを送信するステップを更に含むことを特徴とする請求項１に記載の方法。
【請求項１３】
前記要求メッセージが、少なくとも、レイジング要求メッセージ、ハンドオーバー要求メッセージの中の１つを含み、前記応答メッセージが、少なくとも、レイジング応答メッセージ、ハンドオーバー命令メッセージ、隣接セル情報メッセージの中の１つを含むことを特徴とする請求項１２に記載の方法。
【請求項１４】
前記端末が前記隣接制御局に切替られる場合、マルチキャストブロードキャストサービス情報を取得していない場合、
前記端末が前記隣接制御局にサービスフロー構築メッセージを、サービスフローの情報を再び取得するように、送信するステップを更に含むことを特徴とする請求項１に記載の方法。
【請求項１５】
アイドルモードの前記端末が前記隣接制御局に切替られる場合、マルチキャストブロードキャストサービス情報を取得していない場合、ネットワークに再びアクセスし、前記隣接制御局にサービスフロー構築メッセージを送信することを特徴とする請求項１４に記載の方法。
【請求項１６】
前記制御局が前記端末に前記隣接基地局のマルチキャストブロードキャストサービス情報を送信するステップが、
前記隣接マルチキャストブロードキャストサービスゾーンが位置するキャリアと現在のサービングマルチキャストブロードキャストサービスゾーンが位置するキャリアが異なる場合、前記制御局が前記端末に送信する前記マルチキャストブロードキャストサービス情報に、前記隣接マルチキャストブロードキャストサービスゾーンが位置する、少なくとも物理キャリアマーク情報、物理キャリア周波数情報、ロジックキャリアマーク情報の中の１つを含むキャリア情報が含まれることを特徴とする請求項１に記載の方法。
【請求項１７】
端末が、制御局から送信された、少なくとも隣接マルチキャストブロードキャストサービスゾーンマーク、隣接マルチキャストブロードキャストサービスゾーンにおけるマルチキャストブロードキャストサービスを載せたキャリアのキャリア情報である隣接マルチキャストブロードキャストサービスゾーンが位置するキャリア情報、前記隣接セルの制御局が端末の前記制御局にて受信したマルチキャストブロードキャストサービスと同一のサービスを提供するか否かを示すマルチキャストブロードキャストサービス連続性指示情報の中の１つを含む前記制御局の隣接制御局のマルチキャストブロードキャストサービス情報を送信し、
前記端末が前記隣接制御局に切替られた場合、前記マルチキャストブロードキャストサービス情報に基づいて、前記マルチキャストブロードキャストサービス情報に対応するマルチキャストブロードキャストサービスを受信するステップを含むことを特徴とするマルチキャストブロードキャストサービス情報処理方法。
【請求項１８】
制御局がブロードキャスト又はマルチキャストの方式で、前記制御局が所属されるマルチキャストブロードキャストサービスゾーンのマーク情報、前記制御局に隣接する制御局が所属されるマルチキャストブロードキャストサービスゾーンのマーク情報、前記制御局に隣接する制御局が所属されるマルチキャストブロードキャストサービスゾーンのキャリア情報の中の少なくとも１つを携帯したマルチキャストブロードキャストサービス配置メッセージを周期的に送信するステップを含むことを特徴とするマルチキャストブロードキャストサービス情報処理方法。
【請求項１９】
前記マルチキャストブロードキャストサービス配置メッセージを送信する周期が、前記制御局により予め定義されたスーパーフレーム周期、又は、配置可能なスーパーフレーム周期であることを特徴とする請求項１８に記載の方法。
【請求項２０】
前記マルチキャストブロードキャストサービス配置メッセージを、スーパーフレーム上の予め定義された無線フレーム上の、制御局により予め定義されたサブフレーム又は動的にスケジューリングされたサブフレームにおいて送信することを特徴とする請求項１９に記載の方法。
【請求項２１】
端末が、制御局によりブロードキャスト又はマルチキャストの方式で、前記制御局により予め定義されたスーパーフレーム周期、又は配置可能なスーパーフレーム周期に従って周期的に送信された、前記制御局が所属されるマルチキャストブロードキャストサービスゾーンのマーク情報、前記制御局に隣接する制御局が所属されるマルチキャストブロードキャストサービスゾーンのマーク情報、前記制御局に隣接する制御局が所属されるマルチキャストブロードキャストサービスゾーンのキャリア情報の中の少なくとも１つを携帯したマルチキャストブロードキャストサービス配置メッセージを受信し、
前記端末が前記周期に従って前記マルチキャストブロードキャストサービス配置メッセージを受信し復号するステップを含むことを特徴とするマルチキャストブロードキャストサービス情報処理方法。
【請求項２２】
前記端末が前記周期に従ってマルチキャストブロードキャストサービス配置メッセージを受信し復号するステップが、
前記端末が前記マルチキャストブロードキャストサービス配置メッセージの前記スーパーフレーム送信周期に基づいて、前記スーパーフレーム上の予定の無線フレームにおいて前記無線フレーム上の全てのサブフレームをモニタする、又は前記スーパーフレーム上の予定の無線フレームにおける予定のサブフレームにて前記マルチキャストブロードキャストサービス配置メッセージを受信し復号するステップを含むことを特徴とする請求項２１に記載の方法。
【発明の詳細な説明】
【技術分野】
【０００１】
本発明は、通信分野に係り、具体的には、マルチキャストブロードキャストサービス情報処理方法に関する。
【背景技術】
【０００２】
無線通信システムにおいて、制御局は、マクロ基地局（Ｍａｃｒｏ  ＢａｓｅＳｔａｔｉｏｎ、以下  Ｍａｃｒｏ  ＢＳと略称）と、ビコ基地局（Ｐｉｃｏ  ＢＳ）と、フェムトセル基地局（ＦｅｍｔｏＣｅｌｌ  ＢＳ）と、中継局などを含んでいる。無線通信システムは、基地局を介して特定の無線チャネルを用いて一定の地理的範囲内で無線カバーを提供することができ、当該地理的範囲がセルと呼ばれる。カバー範囲又はセル容量を拡張するため、端末と基地局との間に１つ又は複数の中継局を配置することができる。端末について、中継局は基地局に相当し、家庭又はオフィス等の小型の室内環境に１つ又は複数のフェムトセル基地局を配置することで、更に良好な室内及びホットスポットのカバーを実現することができる。
【０００３】
マルチキャストブロードキャストサービス（Ｍｕｌｔｉｃａｓｔ  Ｂｒｏａｄｃａｓｔ  Ｓｅｒｖｉｃｅ、以下、ＭＢＳと略称）は、１つのデータ送信端（例えば、制御局）から複数のターゲット端末にデータを伝送し、ネットワーク（コアネットワークとアクセスネットワークを含む）リソースの共有を実現し、ネットワークリソース、特にエアーインターフェースリソースの利用率を向上できる。その中、各種の基地局の組合せ、例えば、基地局と中継局との組合せ、マクロ基地局とフェムトセル基地局との組合せはマルチキャストブロードキャストサービスを提供することができる。
【０００４】
マルチキャストブロードキャストサービスは、複数の制御局の協力で、シンボルレベルやフレームレベルの同期伝送を行うことによって、マクロダイバーシティ利得を取得することができ、又は１つのマルチキャストブロードキャストサービスゾーン（ＭＢＳ  ｚｏｎｅ）におけるマルチキャストブロードキャストサービスの連続性を保持することができる。アクティブモードの端末であるかそれともアイドルモードの端末であるかに係わらず、１つのマルチキャストブロードキャストサービスゾーンに所属される制御局に位置すると、いずれもマルチキャストブロードキャストサービスを連続して受信することができ、ネットワーク再接続又はログインする必要がない。マルチキャストブロードキャストサービスゾーン内において、各制御局が同一のマルチキャストブロードキャストサービスデータを送信するので、制御局は更に大きい送信電力で伝送することができ、シンボルレベルの同期伝送を行う場合、マクロダイバーシティ利得を得ることができ、システムは更に効率的にマルチキャストブロードキャストサービスを提供することができる。
【０００５】
無線通信システムネットワークにおいて、異なる制御局が異なる物理配置を有することがあるので、一部の制御局により１つのマルチキャストブロードキャストサービスゾーンを構成することができ、隣接の異なるマルチキャストブロードキャストサービスゾーンは同一又は異なるサービスコンテンツを提供することができ、１つの制御局が同時に異なるマルチキャストブロードキャストサービスゾーンに所属されるサービスを提供することもできる。
【０００６】
現在、マルチキャリアの無線通信システムが開示され、該システムは更に大きい帯域幅を提供可能であって、該システムにおいて、マルチキャストブロードキャストサービスを載せる方式は、独立キャリア（又は、専用キャリア方式とも呼ばれる）、即ちマルチキャストブロードキャストサービスがキャリア上の全ての時間周波数リソースを独占する方式と、他の方式、混合キャリア（又は、キャリア共有方式とも呼ばれる）、即ちマルチキャストブロードキャストサービスが、時分割多重化又は周波数多重化の方式でユニキャストサービスとキャリア上の時間周波数リソースを共有する方式がある。従って、マルチキャリアシステムにおいて、１つの制御局は複数の混合キャリア及び／又は専用キャリアのリソースを介して、１つ又は複数のマルチキャストブロードキャストサービスゾーンのマルチキャストブロードキャストサービスにリソースを割り当てることができる。
【０００７】
一つの端末が二つのマルチキャストブロードキャストサービスゾーン間で移動する際、端末が新しいサービングマルチキャストブロードキャストサービスゾーンに進入した後も前に受信していたマルチキャストブロードキャストサービスを継続して受信して復号しサービスの連続性を保持するように、隣接する二つのマルチキャストブロードキャストサービスゾーンにより提供されるサービスコンテンツの一部又は全部が同一である場合、二つのゾーンにおける同一のサービスコンテンツは同一又は異なるマーク情報を有することができる。また、マルチキャリアシステムの場合、新しいマルチキャストブロードキャストサービスゾーンのマルチキャストブロードキャストサービスが位置するキャリアが変更されていることもあり、既存技術によると、端末が新しいマルチキャストブロードキャストサービスゾーンに進入した場合、マルチキャストブロードキャストサービス情報の更新を取得できないことがある。そして、マルチキャリアシステムにおいて、端末は新しいマルチキャストブロードキャストサービスゾーンのマルチキャストブロードキャストサービスが位置するキャリアの情報を取得できないので、端末は新しいマルチキャストブロードキャストゾーンに進入した後、マルチキャストブロードキャストサービスを継続することができなくなる。
【発明の概要】
【発明が解決しようとする課題】
【０００８】
本発明は、上記問題を解決できるマルチキャストブロードキャストサービス情報処理方法を提供することを目的とする。
【課題を解決するための手段】
【０００９】
本発明の一方面によると、制御局が端末に、隣接マルチキャストブロードキャストサービスゾーンマーク、隣接マルチキャストブロードキャストサービスゾーンが位置するキャリア情報、マルチキャストブロードキャストサービス連続性指示情報の内、少なくとも１つを含む前記制御局の隣接制御局のマルチキャストブロードキャストサービス情報を送信するステップを含むマルチキャストブロードキャストサービス情報処理方法を提供する。
【００１０】
前記隣接マルチキャストブロードキャストサービスゾーンが位置するキャリア情報が、前記隣接マルチキャストブロードキャストサービスゾーンにおけるマルチキャストブロードキャストサービスを載せたキャリアのキャリア情報であることが好ましい。また、前記マルチキャストブロードキャストサービス連続性指示は、前記隣接セルの制御局が、端末の前記制御局において受信したマルチキャストブロードキャストサービスと同一のサービスを提供するか否かを示すことが好ましい。
【００１１】
前記制御局が、マルチキャストブロードキャストサービスゾーン配置メッセージ、隣接セルブロードキャストメッセージ、マルチキャストブロードキャストサービスリソースマッピング指示メッセージ、隣接マルチキャストブロードキャストサービスゾーン情報指示メッセージの内の少なくとも１つによって、前記端末に前記隣接制御局のマルチキャストブロードキャストサービス情報を送信することが好ましい。
【００１２】
前記制御局が、前記隣接制御局のキャリアリスト情報及び／又は対応するキャリア上の隣接マルチキャストブロードキャストゾーンマークを含む隣接制御局マーク情報リストを携帯したメッセージによって、前記端末に、前記隣接マルチキャストブロードキャストサービスゾーンマークを送信し、前記隣接セルブロードキャストメッセージが、前記隣接マルチキャストブロードキャストゾーン上のマルチキャストブロードキャストサービス連続性指示情報、制御局が所属されるマルチキャストブロードキャストサービスゾーンマーク、マルチキャストブロードキャストサービスマーク連続性指示情報、マルチキャストブロードキャストサービスマークマッピング情報の内の少なくとも１つを携帯することが好ましい。
【００１３】
前記制御局が、前記制御局が所属されるマルチキャストブロードキャストサービスゾーンマーク情報リストを携帯したメッセージによって、前記端末に、前記制御局が所属されるマルチキャストブロードキャストサービスゾーンマーク、前記制御局の隣接制御局が所属される隣接マルチキャストブロードキャストサービスゾーンのマルチキャストブロードキャストサービス連続性指示、前記制御局の隣接制御局が所属される隣接マルチキャストブロードキャストゾーンマーク、前記隣接マルチキャストブロードキャストゾーン上のマルチキャストブロードキャストサービスを載せたキャリア情報、マルチキャストブロードキャストサービスマーク連続性指示情報、マルチキャストブロードキャストサービスマークマッピング情報の内少なくとも１つを含む前記隣接マルチキャストブロードキャストサービスゾーン情報を送信することが好ましい。
【００１４】
前記制御局が前記端末に、少なくとも前記制御局が所属されるマルチキャストブロードキャストサービスゾーンのサービス連続性のある隣接マルチキャストブロードキャストゾーンマーク、前記隣接マルチキャストブロードキャストゾーンを載せたキャリア情報、マルチキャストブロードキャストサービスマーク連続性指示、マルチキャストブロードキャストサービスマークマッピング情報の中の１つを含む前記隣接マルチキャストブロードキャストサービスゾーン情報を携帯したメッセージを送信することが好ましい。
【００１５】
前記マルチキャストブロードキャストサービス情報が、前記隣接マルチキャストブロードキャストサービスゾーンのマルチキャストブロードキャストサービス情報の、マルチキャストブロードキャストサービス情報を携帯したメッセージの少なくともスーパーフレーム、フレーム、サブフレームの中の１つを含む予定フレームを指向する情報を含む送信位置情報を更に含み、前記予定フレームがスーパーフレームである場合、予定フレームの情報が、前記メッセージの送信周期情報とスーパーフレームオフセット情報の中の少なくとも１つを含み、前記予定フレームがフレーム及び／又はサブフレームである場合、前記予定フレームの情報が予定のフレームオフセット情報を含むことが好ましい。
【００１６】
前記制御局が所属されるマルチキャストブロードキャストサービスゾーンと前記隣接マルチキャストブロードキャストゾーンにおけるサービスコンテンツの一部又は全部が同一である場合、前記マルチキャストブロードキャストサービス情報が、前記マルチキャストブロードキャストサービス連続性指示情報を含むことが好ましい。
【００１７】
前記制御局が所属されるマルチキャストブロードキャストサービスゾーンと前記隣接マルチキャストブロードキャストゾーンにおけるサービスコンテンツの一部又は全部が同一である場合、前記マルチキャストブロードキャストサービス情報が、前記コンテンツが同一のマルチキャストブロードキャストサービスの、前記制御局が所属されるマルチキャストブロードキャストサービスゾーンと前記隣接マルチキャストブロードキャストゾーンにおけるサービスマークが同一であるか否かを指示するマルチキャストブロードキャストサービスマーク連続性指示情報及び／又はマルチキャストブロードキャストサービスマークマッピング情報を更に含むことが好ましい。
【００１８】
前記制御局がブロードキャスト又はマルチキャストの方式で前記端末に前記隣接マルチキャストブロードキャストゾーンサービス情報を送信する場合、アイドルモードの端末が前記ブロードキャスト又はマルチキャストのメッセージを受信し復号する必要があることが好ましい。
【００１９】
上記方法は、前記端末が前記制御局に、マルチキャストブロードキャストサービス情報の更新情報を取得するための要求メッセージを送信し、サービング制御局がユニキャストによって、前記端末が要求した、マルチキャストブロードキャストサービスゾーンマーク、マルチキャストブロードキャストサービスサービス連続性指示情報、マルチキャストブロードキャストサービスが位置するゾーンのキャリア情報、マルチキャストブロードキャストサービスゾーンサービスマーク連続性指示情報、マルチキャストブロードキャストサービスゾーンにおけるマルチキャストブロードキャストサービスのマークマッピング情報の中の少なくとも１つを含むマルチキャストブロードキャストサービスが所属されるマルチキャストブロードキャストゾーンの更新情報及び／又はマルチキャストブロードキャストサービスの更新情報を携帯した要求メッセージに応答する応答メッセージを送信するステップを更に含むことが好ましい。
【００２０】
前記要求メッセージが、少なくとも、レイジング要求メッセージ、ハンドオーバー要求メッセージの中の１つを含み、前記応答メッセージが、少なくとも、レイジング応答メッセージ、ハンドオーバー命令メッセージ、隣接セル情報メッセージの中の１つを含むことが好ましい。
【００２１】
前記端末が前記隣接制御局に切替られる場合、マルチキャストブロードキャストサービス情報を取得していない場合、前記端末が前記隣接制御局にサービスフロー構築メッセージを、サービスフローの情報を再び取得するように、送信するステップを更に含むことが好ましい。
【００２２】
アイドルモードの前記端末が前記隣接制御局に切替られる場合、マルチキャストブロードキャストサービス情報を取得していない場合、ネットワークに再びアクセスし、前記隣接制御局にサービスフロー構築メッセージを送信することが好ましい。
【００２３】
前記制御局が前記端末に前記隣接基地局のマルチキャストブロードキャストサービス情報を送信するステップが、前記隣接マルチキャストブロードキャストサービスゾーンが位置するキャリアと現在のサービングマルチキャストブロードキャストサービスゾーンが位置するキャリアが異なる場合、前記制御局が前記端末に送信する前記マルチキャストブロードキャストサービス情報に、前記隣接マルチキャストブロードキャストサービスゾーンが位置する、少なくとも物理キャリアマーク情報、物理キャリア周波数情報、ロジックキャリアマーク情報の中の１つを含むキャリア情報が含まれることが好ましい。
【００２４】
端末が、制御局から送信された、少なくとも隣接マルチキャストブロードキャストサービスゾーンマーク、隣接マルチキャストブロードキャストサービスゾーンにおけるマルチキャストブロードキャストサービスを載せたキャリアのキャリア情報である隣接マルチキャストブロードキャストサービスゾーンが位置するキャリア情報、前記隣接セルの制御局が端末の前記制御局にて受信したマルチキャストブロードキャストサービスと同一のサービスを提供するか否かを示すマルチキャストブロードキャストサービス連続性指示情報の中の１つを含む前記制御局の隣接制御局のマルチキャストブロードキャストサービス情報を送信し、前記端末が前記隣接制御局に切替られた場合、前記マルチキャストブロードキャストサービス情報に基づいて、前記マルチキャストブロードキャストサービス情報に対応するマルチキャストブロードキャストサービスを受信するステップを含むマルチキャストブロードキャストサービス情報処理方法を提供する。
【００２５】
本発明の他の一方面によると、制御局がブロードキャスト又はマルチキャストの方式で、前記制御局が所属されるマルチキャストブロードキャストサービスゾーンのマーク情報、前記制御局に隣接する制御局が所属されるマルチキャストブロードキャストサービスゾーンのマーク情報、前記制御局に隣接する制御局が所属されるマルチキャストブロードキャストサービスゾーンのキャリア情報の中の少なくとも１つを携帯したマルチキャストブロードキャストサービス配置メッセージを周期的に送信するステップを含むマルチキャストブロードキャストサービス情報処理方法を提供する。
【００２６】
前記マルチキャストブロードキャストサービス配置メッセージを送信する周期が、前記制御局により予め定義されたスーパーフレーム周期、又は、配置可能なスーパーフレーム周期であることが好ましい。
【００２７】
前記マルチキャストブロードキャストサービス配置メッセージを、スーパーフレーム上の予め定義された無線フレーム上の、制御局により予め定義されたサブフレーム又は動的にスケジューリングされたサブフレームにおいて送信することが好ましい。
【００２８】
本発明の更に他の一方面によると、端末が、制御局によりブロードキャスト又はマルチキャストの方式で、前記制御局により予め定義されたスーパーフレーム周期、又は配置可能なスーパーフレーム周期に従って周期的に送信された、前記制御局が所属されるマルチキャストブロードキャストサービスゾーンのマーク情報、前記制御局に隣接する制御局が所属されるマルチキャストブロードキャストサービスゾーンのマーク情報、前記制御局に隣接する制御局が所属されるマルチキャストブロードキャストサービスゾーンのキャリア情報の中の少なくとも１つを携帯したマルチキャストブロードキャストサービス配置メッセージを受信し、前記端末が前記周期に従って前記マルチキャストブロードキャストサービス配置メッセージを受信し復号するステップを含むマルチキャストブロードキャストサービス情報処理方法を提供する。
【００２９】
前記端末が前記周期に従ってマルチキャストブロードキャストサービス配置メッセージを受信し復号するステップが、前記端末が前記マルチキャストブロードキャストサービス配置メッセージの前記スーパーフレーム送信周期に基づいて、前記スーパーフレーム上の予定の無線フレームにおいて前記無線フレーム上の全てのサブフレームをモニタする、又は前記スーパーフレーム上の予定の無線フレームにおける予定のサブフレームにて前記マルチキャストブロードキャストサービス配置メッセージを受信し復号するステップを含むことが好ましい。
【発明の効果】
【００３０】
本発明によると、制御局によって端末に該制御局の隣接制御局のマルチキャストブロードキャストサービス情報を送信することによって、関連技術において端末が新しいマルチキャストブロードキャストサービスゾーンに進入した後に、マルチキャストブロードキャストサービス情報又はマルチキャストブロードキャストサービスが位置するキャリア情報を取得できない問題を解決し、マルチキャストブロードキャストサービス端末がマルチキャストブロードキャストゾーン間でマルチキャストブロードキャストサービスを連続に受信することができ、マルチキャストブロードキャストサービスのサービス性能を向上できる。
ここで説明する図面は本発明を理解させるためのもので、本発明の一部を構成し、本発明における実施例と共に本発明を解釈し、本発明を不当に限定するのではない。
【図面の簡単な説明】
【００３１】
【図１】は、本発明の実施例に係るマルチキャストブロードキャストサービス情報処理方法を示すフローチャートである。
【図２】は、本発明の好適な実施例１に係るマルチキャストブロードキャストサービス情報処理方法を示すフローチャートである。
【図３】は、本発明の好適な実施例２に係るマルチキャストブロードキャストサービス情報処理方法を示すフローチャートである。
【図４】は、本発明の好適な実施例４に係るマルチキャストブロードキャストサービス情報処理方法を示すフローチャートである。
【図５】は、本発明の好適な実施例５に係るマルチキャストブロードキャストサービス情報処理方法を示すフローチャートである。
【発明を実施するための形態】
【００３２】
以下、図面を参照しつつ実施例を結合して本発明を詳しく説明する。ここで、互いに衝突しない限り、本出願の実施例及び実施例に記載の特徴を互いに組み合わせることができる。
以下、実施例で説明する方法をユニキャスト、マルチキャストとブロードキャストが混合された無線通信システムに応用することができる。
【００３３】
本実施例において、マルチキャストブロードキャストサービス情報処理方法を提供し、図１は、本発明の実施例に係るマルチキャストブロードキャストサービス情報処理方法のフローチャートであり、図１に示すように、次のステップを含む。
【００３４】
制御局（基地局とも呼ばれる）は、端末に制御局の隣接制御局のマルチキャストブロードキャストサービス情報を送信する（ステップＳ３０２）。マルチキャストブロードキャストサービス情報は少なくとも、隣接マルチキャストブロードキャストサービスゾーンマーク、隣接マルチキャストブロードキャストサービスゾーンが位置するキャリア情報、マルチキャストブロードキャストサービス連続性指示情報の内の１つを含み、その中、隣接マルチキャストブロードキャストサービスゾーンが位置するキャリア情報は、隣接マルチキャストブロードキャストサービスゾーンにおけるマルチキャストブロードキャストサービスを載せたキャリアのキャリア情報であり、マルチキャストブロードキャストサービス連続性指示は、隣接セルの制御局が所属される隣接マルチキャストブロードキャストサービスゾーンが、端末が制御局において受信したマルチキャストブロードキャストサービスと同一のサービスを提供するか否かを指示するものである。
【００３５】
該ステップにおいて、制御局がブロードキャスト、マルチキャスト、又はユニキャストの方式で隣接基地局のマルチキャストブロードキャストサービス情報を送信することが好ましい。
【００３６】
上記ステップＳ３０２によって、端末が新しいマルチキャストブロードキャストサービスゾーンに進入した後にマルチキャストブロードキャストサービス情報又はマルチキャストブロードキャストサービスが位置するキャリア情報を取得できない問題を解決できる。本発明の実施例を更に説明するため、端末のマルチキャストブロードキャストサービスの受信について説明する。
【００３７】
端末は、隣接制御局のマルチキャストブロードキャストサービス情報を取得し、隣接制御局にハンドオーバする際、マルチキャストブロードキャストサービス情報に基づいてマルチキャストブロードキャストサービス情報に対応するマルチキャストブロードキャストサービスを受信する（ステップＳ３０４）
【００３８】
ステップＳ３０４が二つのサブステップに分かれられることが好ましい。
端末が、隣接基地局（新しい基地局とも呼ばれる）のサービングセルに進入する場合、対応のキャリアにて上記マルチキャストブロードキャストサービスゾーンの配置情報を取得し、更に、マルチキャストブロードキャストサービスリソースマッピングメッセージを取得する（ステップＳ３０４−１）。
【００３９】
端末が、取得したマルチキャストブロードキャストサービスマークのマッピング情報及びリソースマッピングメッセージに基づいて、受信しようとするマルチキャストブロードキャストサービスを継続して受信して復号する（ステップＳ３０４−２）。
【００４０】
制御局が、マルチキャストブロードキャストサービスゾーン配置メッセージ、隣接セルブロードキャストメッセージ、マルチキャストブロードキャストサービスリソースマッピング指示メッセージ、隣接マルチキャストブロードキャストサービスゾーン情報指示メッセージの内の少なくとも１つのメッセージによって端末に隣接制御局のマルチキャストブロードキャストサービス情報を送信することが好ましい。即ち、隣接制御局のマルチキャストブロードキャストサービス情報を携帯するように、既存のメッセージを改善する。例えば、マルチキャストブロードキャストサービスゾーン配置メッセージ、隣接セルブロードキャストメッセージ、マルチキャストブロードキャストサービスリソースマッピング指示メッセージを改善することができる。また、新しく追加されたメッセージ、例えば、隣接マルチキャストブロードキャストサービスゾーン情報指示メッセージによって隣接制御局のマルチキャストブロードキャストサービス情報を携帯することもできる。以下、夫々詳しく説明する。
【００４１】
制御局は、隣接制御局マーク情報リストを携帯したメッセージ（例えば、隣接セルブロードキャストメッセージ）によって端末に隣接マルチキャストブロードキャストサービスゾーンマークを送信し、その中、隣接制御局マーク情報リストには、隣接制御局のキャリアリスト情報及び／又は対応のキャリア上の隣接マルチキャストブロードキャストゾーンマークを含む。隣接セルブロードキャストメッセージは、隣接マルチキャストブロードキャストゾーン上のマルチキャストブロードキャストサービス連続性指示情報、制御局が所属されるマルチキャストブロードキャストサービスゾーンのマーク、マルチキャストブロードキャストサービスマーク連続性指示情報、マルチキャストブロードキャストサービスマークマッピング情報の内の少なくとも１つを含む。
【００４２】
制御局は、制御局が所属されるマルチキャストブロードキャストサービスゾーンマーク情報リストを携帯したメッセージ（例えば、マルチキャストブロードキャストサービスゾーン配置メッセージ）によって、端末に隣接マルチキャストブロードキャストサービスゾーン情報を送信し、その中、隣接マルチキャストブロードキャストサービスゾーン情報は、少なくとも、制御局が所属されるマルチキャストブロードキャストサービスゾーンマーク、制御局の隣接制御局が所属される隣接マルチキャストブロードキャストサービスゾーンのマルチキャストブロードキャストサービス連続性指示、制御局の隣接制御局が所属される隣接マルチキャストブロードキャストゾーンマーク、隣接マルチキャストブロードキャストゾーンのマルチキャストブロードキャストサービスを載せたキャリア情報、マルチキャストブロードキャストサービスマーク連続性指示情報、マルチキャストブロードキャストサービスマークマッピング情報の中の１つを含む。
【００４３】
制御局は、端末に隣接マルチキャストブロードキャストサービスゾーン情報を携帯したメッセージ（例えば、マルチキャストブロードキャストサービスリソースマッピング指示メッセージ）を送信し、その中、隣接マルチキャストブロードキャストサービスゾーン情報は、少なくとも、制御局が所属されるマルチキャストブロードキャストサービスゾーンの中のサービス連続性のある隣接マルチキャストブロードキャストゾーンのマーク、隣接マルチキャストブロードキャストゾーンを載せたキャリア情報、マルチキャストブロードキャストサービスマーク連続性指示、マルチキャストブロードキャストサービスマークマッピング情報の中の１つを含む。
【００４４】
制御局は、新規に定義されたメッセージ（例えば、隣接マルチキャストブロードキャストサービスゾーン情報指示メッセージ）によって、端末に隣接マルチキャストブロードキャストサービスゾーン情報を送信し、その中、隣接マルチキャストブロードキャストサービスゾーン情報は、少なくとも、制御局が所属されるマルチキャストブロードキャストサービスゾーンの中のサービス連続性のある隣接マルチキャストブロードキャストゾーンマーク、隣接マルチキャストブロードキャストゾーンを載せたキャリア情報、マルチキャストブロードキャストサービスマーク連続性指示、マルチキャストブロードキャストサービスマークマッピング情報の中の１つを含む。
【００４５】
マルチキャストブロードキャストサービス情報が、更に、隣接マルチキャストブロードキャストサービスゾーンのマルチキャストブロードキャストサービス情報の送信位置情報を含むことが好ましい。その中、位置情報は、マルチキャストブロードキャストサービス情報を携帯したメッセージを指向する予定フレームの情報を含み、その中、予定フレームは、少なくとも、スーパーフレーム、フレーム、サブフレームの中の１つを含む。予定フレームがスーパーフレームである場合、予定フレームの情報は、メッセージの送信周期情報、スーパーフレームオフセット情報の中の少なくとも１つを含み、予定フレームがフレーム及び／又はサブフレームである場合、予定フレームの情報は予定フレームオフセット情報を含む。
【００４６】
該制御局が所属されるマルチキャストブロードキャストサービスゾーンと隣接マルチキャストブロードキャストゾーンにおけるサービスコンテンツの一部又は全部が同一である場合、マルチキャストブロードキャストサービス情報は、マルチキャストブロードキャストサービス連続性指示情報を含み、又はマルチキャストブロードキャストサービス情報がマルチキャストブロードキャストサービスマーク連続性指示情報及び／又はマルチキャストブロードキャストサービスマークマッピング情報を含むことが好ましく、その中、マルチキャストブロードキャストサービスは連続性指示情報は、コンテンツが同一のマルチキャストブロードキャストサービスの、制御局が所属されるマルチキャストブロードキャストサービスゾーンと隣接マルチキャストブロードキャストゾーンにおけるサービスマークが同一であるか否かを指示することを示す。以下、それぞれ説明する。
【００４７】
コンテンツが同一のマルチキャストブロードキャストサービスの、該制御局が所属されるマルチキャストブロードキャストサービスゾーンと隣接マルチキャストブロードキャストゾーンにおけるサービスマークが同一である場合、マルチキャストブロードキャストサービスマークマッピング情報は制御局が所属されるマルチキャストブロードキャストサービスゾーンのサービスマーク情報のみを含む。或は、マルチキャストブロードキャストサービス情報は、マルチキャストブロードキャストサービスマーク連続性指示情報を更に含み、その中、マルチキャストブロードキャストサービスマーク連続性指示情報は、制御局が所属されるマルチキャストブロードキャストサービスゾーンの全てのマルチキャストブロードキャストサービスマークが隣接マルチキャストブロードキャストゾーンにおいて変更されないことを指示する。
【００４８】
制御局が所属されるマルチキャストブロードキャストサービスゾーンの全てのマルチキャストブロードキャストサービスと隣接マルチキャストブロードキャストゾーンにおけるマルチキャストブロードキャストサービスのコンテンツが同一であって、且つサービスマークも同一である場合、マルチキャストブロードキャストサービス情報は、マルチキャストブロードキャストサービスマーク連続性指示情報を含み、その中、マルチキャストブロードキャストサービスマーク連続性指示情報は、制御局が所属されるマルチキャストブロードキャストサービスゾーンの全てのマルチキャストブロードキャストサービスマークが隣接マルチキャストブロードキャストゾーンにおいて変更されないことを指示する。
【００４９】
コンテンツが同一のマルチキャストブロードキャストサービスの、該制御局が所属されるマルチキャストブロードキャストサービスゾーンと隣接マルチキャストブロードキャストゾーンにおけるサービスマークが相違する場合、マルチキャストブロードキャストサービス情報は、マルチキャストブロードキャストサービスマークマッピング情報を含み、この時、該マルチキャストブロードキャストサービスマークマッピング情報は制御局が所属されるマルチキャストブロードキャストサービスゾーンのサービスマーク情報と隣接マルチキャストブロードキャストサービスゾーンのサービスマーク情報を含む。
【００５０】
以下、基地局がブロードキャストとユニキャストによって隣接基地局のマルチキャストブロードキャストサービス情報を送信することを説明する。
【００５１】
制御局がブロードキャスト方式で端末にマルチキャストブロードキャストサービス情報を送信する場合、端末はアイドルモードにてマルチキャストブロードキャストサービス情報を取得する必要がある。
【００５２】
端末は、制御局にマルチキャストブロードキャストサービス情報の更新情報を取得するための要求メッセージを送信し、サービング制御局は、ユニキャストによって要求メッセージに応答する応答メッセージを送信し、その中、応答メッセージに端末が要求したマルチキャストブロードキャストサービスが所属されるマルチキャストブロードキャストゾーンの更新情報及び／又はマルチキャストブロードキャストサービスの更新情報が携帯し、マルチキャストブロードキャストサービスゾーンの更新情報及び／又はマルチキャストブロードキャストサービスの更新情報は、マルチキャストブロードキャストサービスゾーンマーク、マルチキャストブロードキャストサービスサービス連続性指示情報、マルチキャストブロードキャストサービスが位置するゾーンのキャリア情報、マルチキャストブロードキャストサービスゾーンサービスマーク連続性指示情報、マルチキャストブロードキャストサービスゾーンにおけるマルチキャストブロードキャストサービスのマーク情報、端末が制御局から受信したマルチキャストブロードキャストサービスの、隣接制御局が所属されるマルチキャストブロードキャストサービスゾーンにおけるマッピングマークであるマルチキャストブロードキャストサービスゾーンにおけるマルチキャストブロードキャストサービスのマーク情報の中の少なくとも１つを含む。
【００５３】
要求メッセージが、少なくとも、レイジング要求メッセージ、ハンドオーバー要求メッセージの中の１つを含み、応答メッセージは、少なくとも、レイジング応答メッセージ、ハンドオーバー命令メッセージ、隣接セル情報メッセージの中の１つを含む。
【００５４】
端末が隣接制御局に切替られる場合、マルチキャストブロードキャストサービス情報を取得していない場合、端末が隣接制御局にサービスフロー構築メッセージを送信してサービスフローの情報を再び取得することが好ましい。アイドルモードの端末が隣接制御局に切替られる場合、マルチキャストブロードキャストサービス情報を取得していない場合、ネットワークに再びアクセスし、隣接制御局にサービスフロー構築メッセージを送信しなければならない。
【００５５】
マルチキャリアシステムにおいて、隣接マルチキャストブロードキャストサービスゾーンが位置するキャリアと現在のサービングマルチキャストブロードキャストサービスゾーンが位置するキャリアが異なることもあり、異なる場合、制御局が端末に送信するマルチキャストブロードキャストサービス情報には隣接マルチキャストブロードキャストサービスゾーンが位置するキャリア情報が含まれ、その中、キャリア情報は、少なくとも、物理キャリアマーク情報、物理キャリア周波数情報、ロジックキャリアマーク情報の中の１つを含む。
【００５６】
本実施例において、他のマルチキャストブロードキャストサービス情報処理方法を提供し、該方法は、制御局がブロードキャスト又はマルチキャストの方式で、周期的にマルチキャストブロードキャストサービス配置メッセージを送信し、その中、マルチキャストブロードキャストサービス配置メッセージは、制御局が所属されるマルチキャストブロードキャストサービスゾーンのマーク情報、制御局に隣接する制御局が所属されるマルチキャストブロードキャストサービスゾーンのマーク情報、制御局に隣接する制御局が所属されるマルチキャストブロードキャストサービスゾーンのキャリア情報の中の少なくとも１つを含む。
【００５７】
マルチキャストブロードキャストサービス配置メッセージを送信する周期は、制御局により予め定義されたスーパーフレーム周期、又は配置可能なスーパーフレーム周期であることが好ましい。
【００５８】
マルチキャストブロードキャストサービス配置メッセージを、スーパーフレーム上の予め定義された無線フレーム上の制御局により予め定義されたサブフレーム又は動的にスケジューリングされたサブフレームにて送信することが好ましい。
【００５９】
端末は、マルチキャストブロードキャストサービス配置メッセージのスーパーフレーム送信周期に基づいて、スーパーフレーム上の予め定義された無線フレームにて無線フレーム上の全てのサブフレームをモニタし、又は、スーパーフレーム上の予め定義された無線フレームの中の特定のサブフレームにてマルチキャストブロードキャストサービス配置メッセージを受信して復号する。
【００６０】
以下、図面を参照し本実施例の好適な実施例を詳しく説明する。以下の好適な実施例において、ＷｉＭａｘシステムを例に説明するが、これに限定されることはない。
【００６１】
好適な実施例１
本実施例において、制御局はマルチキャスト方式でマルチキャストブロードキャストサービス情報（隣接マルチキャストブロードキャストサービスゾーンの配置情報及び／又はマルチキャストブロードキャストサービスマークのマッピング情報を含む）を送信する。図２は、本発明の好適な実施例１に係るマルチキャストブロードキャストサービス情報処理方法のフローチャートで、以下のステップを含む。
【００６２】
サービング制御局は、マルチキャストブロードキャストサービスの配置メッセージ（ＡＡＩ＿Ｅ−ＭＢＳ＿  ＣＦＧ  ｍｅｓｓａｇｅ）を用いて現在のサービング制御局が所属されるマルチキャストブロードキャストサービスゾーンの配置情報を送信し、また、各マルチキャストブロードキャストサービスゾーンに対し、その隣接マルチキャストブロードキャストサービスゾーンのサービス連続性を指示し、隣接のマルチキャストブロードキャストサービスゾーンのマーク、該隣接のマルチキャストブロードキャストサービスゾーンが位置するキャリアマーク情報（サービング制御局のキャリアと異なる場合）、マルチキャストブロードキャストサービスマークのマッピング情報等を指示する（ステップＳ２０１）。
【００６３】
本実施例において、マルチキャストブロードキャストサービスゾーンの配置情報の、各制御局上のフレームの位置が異なると、隣接のマルチキャストブロードキャストサービスゾーンの配置メッセージが位置するキャリア上のフレームの位置情報を更に指示し、その中、フレームは、スーパーフレーム、フレーム、サブフレームの中の少なくとも１つを含むことができる。
【００６４】
端末は、取得した隣接マルチキャストブロードキャストサービスの情報に基づいて、新しいマルチキャストブロードキャストサービスゾーンに進入した後、対応するキャリアにて該マルチキャストブロードキャストサービスゾーンの配置メッセージ（ＡＡＩ＿Ｅ−ＭＢＳ＿ＣＦＧ）を取得する（ステップＳ２０２）。
【００６５】
これによって該マルチキャストブロードキャストサービスゾーンのリソースマッピングメッセージ（ＡＡＩ＿Ｅ−ＭＢＳ  ＭＡＰ）を取得し、また、マルチキャストブロードキャストサービスのマークに基づいて、情報（Ｅ−ＭＢＳ  ＭＡＰ）をマッピングする（ステップＳ２０３）。
【００６６】
端末は、マークマッピング情報に基づいて、対応するマルチキャストブロードキャストサービスのデータを受信し復号する（ステップＳ２０４）。
【００６７】
例えば、サービング制御局がマルチキャストブロードキャストサービスゾーンＥ−ＭＢＳ  ｚｏｎｅ１、ｚｏｎｅ２、ｚｏｎｅ３、ｚｏｎｅ４  （以下、それぞれＺ１、Ｚ２、Ｚ３、Ｚ４と略称）に所属されるとする。サービング制御局の一部の隣接制御局が他のＥ−ＭＢＳ  ｚｏｎｅ５（Ｚ５と略称）に所属され、且つＺ１とＺ５のマルチキャストブロードキャストサービスの一部又は全部が同一である場合、Ｚ１とＺ５は隣接するｚｏｎｅである。ＡＡＩ＿Ｅ−ＭＢＳ＿ＣＦＧメッセージにＺ１、Ｚ５のマーク、Ｚ５のキャリア情報（Ｚ１のキャリア情報と異なる場合）、Ｚ１におけるマルチキャストブロードキャストサービスＭＳＴＩＤ、ＦＩＤとＺ５におけるマルチキャストブロードキャストサービスＭＳＴＩＤ、ＦＩＤのマッピング情報（ｍａｐｐｉｎｇ）、Ｚ５に所属される隣接制御局のマーク情報を携帯する。その中、Ｚ５とＺ１において同一のサービスのＭＳＴＩＤ、ＦＩＤマークが異なると、マッピング情報は異なるマークの対応関係リストである。Ｚ５とＺ１において同一のサービスのＭＳＴＩＤ、ＦＩＤマークが同一であると、マッピング情報は現在のサービングｚｏｎｅ１のサービスマークリストである。
【００６８】
本実施例において、Ｚ３に隣接ｚｏｎｅの情報がないと、サービス非連続性指示情報を携帯し、即ち、サービス連続性指示情報が０を指示すると、現在のサービング制御局の全ての隣接制御局がいずれもＺ３に所属される、又はサービス連続性のない他のマルチキャストブロードキャストサービスゾーンに所属されることを示す。
【００６９】
本実施例における情報は、配置メッセージＡＡＩ＿Ｅ−ＭＢＳ＿ＣＦＧメッセージによる送信に限定されず、独立した隣接マルチキャストブロードキャストサービスゾーン配置メッセージにて送信することもできる。また、実施例２におけるＡＡＩ＿ＮＢＲ＿ＡＤＶメッセージにて送信することもできる。
【００７０】
表１は、本実施例におけるＥＭＢＳ配置メッセージ中の隣接ｚｏｎｅ情報のコンテンツの例である。
【表１】
2013516810.tif 000003
2013516810.tif 000004
【００７１】
好適な実施例２
本実施例において、制御局は、ブロードキャスト方式で隣接マルチキャストブロードキャストサービスゾーンの配置情報及び／又はマルチキャストブロードキャストサービスマークのマッピング情報を送信する。図３は、本発明の好適な実施例２に係るマルチキャストブロードキャストサービス情報処理方法のフローチャートで、以下のステップを含む。
【００７２】
サービング制御局は、隣接セルブロードキャストメッセージ（ＡＡＩ＿ＮＢＲ＿ＡＤＶ  ｍｅｓｓａｇｅ）を用いて、現在のサービング制御局の隣接セル配置情報を送信し、また、各隣接セルの各キャリアマークに対し、サービス連続性のある隣接するマルチキャストブロードキャストサービスゾーンのマーク、現在のサービング制御局が所属されるマルチキャストブロードキャストサービスゾーンのマーク、マルチキャストブロードキャストサービスマークのマッピング情報などを指示する（ステップＳ３０１）。
【００７３】
例えば、本実施例において、サービング制御局の隣接制御局リスト情報に各隣接制御局のキャリアリスト及び対応するキャリア上の所属されるＥ−ＭＢＳ  ｚｏｎｅが含まれる。サービス連続性指示に基づいて、現在のサービング制御局が所属されるＥ−ＭＢＳ  ｚｏｎｅが同一であると、現在のＥ−ＭＢＳ  ｚｏｎｅマークを指示し、現在のサービング制御局が所属されるＥ−ＭＢＳ  ｚｏｎｅマークと異なるがサービス連続性を有していると、現在のＥ−ＭＢＳ  ｚｏｎｅマーク及び隣接Ｅ−ＭＢＳ  ｚｏｎｅマーク、マルチキャストブロードキャストサービスＭＳＴＩＤ、ＦＩＤのマッピング情報（ｍａｐｐｉｎｇ）を指示する。その中、同一のサービスのＭＳＴＩＤ、ＦＩＤのマークが異なると、マッピング情報は、異なるマークの対応関係リストであって、同一のサービスのＭＳＴＩＤ、ＦＩＤマークが同一であると、マッピング情報は現在のサービングｚｏｎｅのサービスマークリストである。
【００７４】
本実施例において、マルチキャストブロードキャストサービスゾーンの配置情報の、各制御局上のフレームの位置が異なると、隣接のマルチキャストブロードキャストサービスゾーンの配置メッセージが位置するキャリア上のフレームの位置情報を更に指示し、その中、フレームは、スーパーフレーム、フレーム、サブフレームの中の少なくとも１つを含む。
【００７５】
端末は、取得した隣接マルチキャストブロードキャストサービスの情報に基づいて、新しいマルチキャストブロードキャストサービスゾーンに進入した後、対応するキャリアにて該マルチキャストブロードキャストサービスゾーンの配置メッセージ（ＡＡＩ＿Ｅ−ＭＢＳ＿ＣＦＧ）を取得する（ステップＳ３０２）。
【００７６】
端末は、該マルチキャストブロードキャストサービスゾーンのリソースマッピングメッセージ（ＡＡＩ＿Ｅ−ＭＢＳ  ＭＡＰ）を取得する（ステップＳ３０３）。
【００７７】
端末は、マルチキャストブロードキャストサービスのマークマッピング情報に基づいて、対応するマルチキャストブロードキャストサービスのデータを受信し復号する（ステップＳ３０４）。
【００７８】
本実施例における情報は、ＡＡＩ＿ＮＢＲ＿ＡＤＶメッセージによる送信に限られなく、実施例１における配置メッセージＡＡＩ＿Ｅ−ＭＢＳ＿ＣＦＧにて送信することができる。
【００７９】
表２は、本実施例において、隣接セルブロードキャストメッセージ中の隣接ｚｏｎｅ情報のコンテンツの例である。
【表２】
2013516810.tif 000005
2013516810.tif 000006
【００８０】
好適な実施例３
本実施例において、制御局は、マルチキャストの方式で、隣接マルチキャストブロードキャストサービスゾーンのマーク情報、隣接マルチキャストブロードキャストサービスゾーンが位置するキャリアマーク、マルチキャストブロードキャストサービスマークのマッピング情報の中の少なくとも１つを送信する。
【００８１】
サービング制御局は、マルチキャストブロードキャストサービスゾーンリソースマッピング指示メッセージ（ＡＡＩ＿Ｅ−ＭＢＳ＿ＭＡＰ  ｍｅｓｓａｇｅ）を介して、現在のサービングＥ−ＭＢＳ  ｚｏｎｅとサービス連続性のある隣接のマルチキャストブロードキャストサービスゾーンのマーク、該隣接のマルチキャストブロードキャストサービスゾーンにおけるマルチキャストブロードキャストサービスが位置するキャリアマーク情報（サービング制御局のキャリアと異なるのであれば）、マルチキャストブロードキャストサービスマークのマッピング情報等を送信する。
【００８２】
端末は、取得した隣接マルチキャストブロードキャストサービスの情報に基づいて、新しいマルチキャストブロードキャストサービスゾーンに進入した後、対応するキャリアにて該マルチキャストブロードキャストサービスゾーンの配置メッセージ（ＡＡＩ＿Ｅ−ＭＢＳ＿ＣＦＧ）を取得して該マルチキャストブロードキャストサービスゾーンのリソースマッピングメッセージ（ＡＡＩ＿Ｅ−ＭＢＳ  ＭＡＰ）を取得し、また、マルチキャストブロードキャストサービスのマークマッピング情報に基づいて、対応するマルチキャストブロードキャストサービスのデータを受信して復号する。
【００８３】
例えば、本実施例において、サービング制御局のマルチキャストブロードキャストサービスゾーンリソースマッピング指示メッセージは、現在のサービングＥ−ＭＢＳ  ｚｏｎｅがサービス連続性のある隣接するＥ−ＭＢＳ  ｚｏｎｅのマーク情報と、該隣接するＥ−ＭＢＳ  ｚｏｎｅが位置するキャリアマーク情報（サービング制御局のキャリアと異なる場合）と、及び／又はマルチキャストブロードキャストサービスＭＳＴＩＤ、ＦＩＤのマッピング情報（ｍａｐｐｉｎｇ）を指示する。その中、同一のサービスのＭＳＴＩＤ、ＦＩＤマークが異なると、マッピング情報は異なるマークの対応関係リストであって、同一のサービスのＭＳＴＩＤ、ＦＩＤマークが同一であると、マッピング情報は現在のサービングｚｏｎｅのサービスマークリストである。
【００８４】
表３は、本実施例において、マルチキャストブロードキャストサービスゾーンリソースマッピング指示メッセージ中の隣接ｚｏｎｅ情報のコンテンツの例である。
【表３】
2013516810.tif 000007
【００８５】
好適な実施例４
本実施例において、制御局は、ユニキャストの方式で、隣接マルチキャストブロードキャストサービスゾーンのマーク情報、隣接マルチキャストブロードキャストサービスゾーンのマルチキャストブロードキャストサービスが位置するキャリアのマーク情報、マルチキャストブロードキャストサービスマークのマッピング情報の中の少なくとも１つを送信する。図４は、本発明の好適な実施例４に係るマルチキャストブロードキャストサービス情報処理方法のフローチャートで、以下のステップを含む。
【００８６】
端末がサービング制御局からターゲット制御局にハンドオーバー中において、端末が隣接のマルチキャストブロードキャストサービスゾーンのサービスマークのマッピング情報を取得していない場合、端末は、ハンドオーバー要求（ＡＡＩ＿ＨＯ＿ＲＥＱ）メッセージによってＥ−ＭＢＳサービス情報の更新を要求する（ステップＳ４０１）。
【００８７】
制御局は、ハンドオーバー管理メッセージ（ＡＡＩ＿ＨＯ＿ＣＭＤ  ｍｅｓｓａｇｅ）によって、端末に、端末が受信したＥ−ＭＢＳサービスとサービス連続性のあるターゲットマルチキャストブロードキャストサービスゾーンにおける対応するマルチキャストブロードキャストサービスゾーンのマーク、該隣接のマルチキャストブロードキャストサービスゾーンが位置するキャリアマーク情報（サービング制御局のキャリアと異なる場合）、マルチキャストブロードキャストサービスマークのマッピング情報、ターゲット隣接制御局のマーク情報等を送信することができる（ステップＳ４０２）。
【００８８】
端末は、取得した隣接マルチキャストブロードキャストサービスの情報に基づいて、新しいマルチキャストブロードキャストサービスゾーンに進入した後、対応するキャリアにて該マルチキャストブロードキャストサービスゾーンの配置メッセージ（ＡＡＩ＿Ｅ−ＭＢＳ＿ＣＦＧ）を取得する（ステップＳ４０３）。
【００８９】
端末は、配置メッセージに基づいて、該マルチキャストブロードキャストサービスゾーンのリソースマッピングメッセージ（ＡＡＩ＿Ｅ−ＭＢＳ  ＭＡＰ）を取得する（ステップＳ４０４）。
【００９０】
端末は、マルチキャストブロードキャストサービスのマークマッピング情報に基づいて、対応するマルチキャストブロードキャストサービスのデータを受信し復号する（ステップＳ４０５）。
【００９１】
例えば、本実施例において、端末がサービング制御局にハンドオーバー要求を送信する場合、該要求にマルチキャストブロードキャストサービスマークマッピング要求を携帯し、継続して受信すべきマルチキャストブロードキャストサービスのマークを指示することができる。サービング制御局は、候補ターゲット制御局が所属されるＥ−ＭＢＳ  ｚｏｎｅとサービス連続性の情報に基づいて、端末にサービス連続性のある隣接するＥ−ＭＢＳ  ｚｏｎｅのマーク情報、該隣接するＥ−ＭＢＳ  ｚｏｎｅが位置するキャリアマーク情報（サービング制御局のキャリアと異なる場合）、及び／又はマルチキャストブロードキャストサービスＭＳＴＩＤ、ＦＩＤのマッピング情報（ｍａｐｐｉｎｇ）を応答する。その中、同一のサービスのＭＳＴＩＤ、ＦＩＤマークが異なると、ターゲットＥ−ＭＢＳ  ｚｏｎｅにおける対応するサービスマークを携帯し、同一のサービスのＭＳＴＩＤ、ＦＩＤマークが同一であると、現在のサービングｚｏｎｅのサービスマークのみを含む。
【００９２】
表４は、本実施例において、ハンドオーバー管理メッセージ中の隣接ｚｏｎｅ情報のコンテンツの例である。
【表４】
2013516810.tif 000008
2013516810.tif 000009
【００９３】
好適な実施例５
本実施例において、制御局は、ユニキャストの方式で、隣接マルチキャストブロードキャストサービスゾーンのマーク情報、隣接マルチキャストブロードキャストサービスゾーンにおけるマルチキャストブロードキャストサービスが位置するキャリアのマーク情報、マルチキャストブロードキャストサービスマークのマッピング情報の中の少なくとも１つを送信する。図５は、本発明の好適な実施例５に係るマルチキャストブロードキャストサービス情報処理方法のフローチャートで、以下のステップを含む。
【００９４】
端末がサービング制御局から新しいサービング制御局に切替られる場合、又はアイドルモードで新しい制御局カバー領域に移動した場合、端末により新しいマルチキャストブロードキャストサービスゾーンに進入したと検出されたが、新しいマルチキャストブロードキャストサービスゾーンのサービスマークのマッピング情報を取得していない場合、端末はレイジング要求（ＡＡＩ＿ＲＮＧ＿ＲＥＱ）メッセージによってＥ−ＭＢＳサービス情報の更新を要求する（ステップＳ５０１）。
【００９５】
新しいサービング制御局は、レイジング応答メッセージ（ＡＡＩ＿ＲＮＧ＿  ＲＳＰ  ｍｅｓｓａｇｅ）によって端末に継続して受信すべきＥ−ＭＢＳサービスの更新情報を送信し、制御局は端末にサービス連続性のあるマルチキャストブロードキャストサービスゾーンのマーク、該マルチキャストブロードキャストサービスゾーンが位置するキャリアマーク情報（サービング制御局のキャリアと異なる場合）、マルチキャストブロードキャストサービスマークのマッピング情報等を送信する（ステップＳ５０２）。
【００９６】
端末は、取得したマルチキャストブロードキャストサービスの更新情報に基づいて、新しいマルチキャストブロードキャストサービスゾーンにおいて、対応するキャリアにて該マルチキャストブロードキャストサービスゾーンの配置メッセージ（ＡＡＩ＿Ｅ−ＭＢＳ＿ＣＦＧ）を取得する（ステップＳ５０３）。
【００９７】
端末は、該マルチキャストブロードキャストサービスゾーンのリソースマッピングメッセージ（ＡＡＩ＿Ｅ−ＭＢＳ  ＭＡＰ）を取得する（ステップＳ５０４）。
【００９８】
端末は、マルチキャストブロードキャストサービスのマークマッピング情報に基づいて、対応するマルチキャストブロードキャストサービスのデータを受信し復号する（ステップＳ５０５）。
【００９９】
例えば、本実施例において、端末がサービング制御局にレイジング要求メッセージを送信し、該要求メッセージにマルチキャストブロードキャストサービスマークマッピング要求情報を携帯し、継続して受信すべきマルチキャストブロードキャストサービスのマークを指示することができる。
【０１００】
新しいサービング制御局は、その所属されるＥ−ＭＢＳ  ｚｏｎｅ及びサービス連続性の情報に基づいて、端末にレイジング応答メッセージを送信し、該応答メッセージに、サービス連続性のある隣接するＥ−ＭＢＳ  ｚｏｎｅのマーク情報、該隣接するＥ−ＭＢＳ  ｚｏｎｅが位置するキャリアマーク情報（サービング制御局のキャリアと異なる場合）、及び／又はマルチキャストブロードキャストサービスＭＳＴＩＤ、ＦＩＤのマッピング情報（ｍａｐｐｉｎｇ）を含むことができる。その中、同一のサービスのＭＳＴＩＤ、ＦＩＤマークが異なると、ターゲットＥ−ＭＢＳ  ｚｏｎｅにおける対応するサービスマークを携帯し、同一のサービスのＭＳＴＩＤ、ＦＩＤマークが同一であると、現在のサービングｚｏｎｅのサービスマークのみを含む。
【０１０１】
表５は、本実施例において、レイジングメッセージ中のマルチキャストブロードキャストサービス情報の更新コンテンツの例である。
【表５】
2013516810.tif 000010
2013516810.tif 000011
【０１０２】
上述のように、上記実施例によると、マルチキャストブロードキャストサービス端末がマルチキャストブロードキャストゾーン間でマルチキャストブロードキャストサービスを連続して受信することができ、マルチキャストブロードキャストサービスのサービス性能をある程度向上できる。
【０１０３】
当業者にとって、上述の本発明の各ブロック又は各ステップは共通の計算装置によって実現することができ、独立する計算装置に集中させることができ、複数の計算装置から構成されるネットワークに分布させることもでき、さらに計算装置が実行可能なプログラムのコードによって実現することもできるので、それらを記憶装置に記憶させて計算装置によって実行することができる。又、ある場合には、前述した順と異なるステップで前述したステップを実行でき、又は夫々集積回路ブロックに製作され、又はそれらにおける複数のブロック又はステップが単独する集積回路ブロックに製作されて実現することができることは明らかなことである。このように、本発明は如何なる特定のハードウェアとソフトウェアの結合にも限定されない。
【０１０４】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013516810.tif 000012
【図２】
2013516810.tif 000013
【図３】
2013516810.tif 000014
【図４】
2013516810.tif 000015
【図５】
2013516810.tif 000016
【国際調査報告】
2013516810.tif 000017
2013516810.tif 000018
2013516810.tif 000019
2013516810.tif 000020